(57)【要約】      （修正有）【課題】照明に使用する低コスト高出力ＬＥＤランプを提供するとともに放熱の改善をはかる。【解決手段】液体充填用空間を持つ容器を含む一種の高出力LEDランプで、高出力LED光源が当該液体を通過する光源モジュールを提供する。軸方向熱伝導器は第一部分が当該光源モジュールに隣接し、第二部分が当該液体中の当該空間の軸方向に沿って当該光源モジュールまで達している。熱は当該光源モジュールから当該液体を通って当該容器へ伝導される。【選択図】図１３
2008027910.tif 000002
【特許請求の範囲】
【請求項１】
高出力発光ダイオードランプ。以下のものを含む。
液体充填用空間を有する容器、
当該空間中の液体、
高出力発光ダイオード光源を提供する光源モジュール、
軸方向熱伝導器。
その第一部分が光源モジュールに隣接し、第二部分が液体中で当該空間の軸方向に沿って当該光源モジュールまで達しており、熱が当該光源モジュールから液体を経由して容器まで伝達される。
【請求項２】
請求項1に記載されたランプで、その内当該軸方向熱伝導器が細長い棒状のもの。
【請求項３】
請求項1に記載されたランプで、その内当該軸方向熱伝導器が管状のもの。
【請求項４】
請求項1に記載されたランプで、その内当該軸方向熱伝導器が柱状のもの。
【請求項５】
請求項1に記載されたランプで、その内当該軸方向熱伝導器が軸方向フィン付属品を含むもの。
【請求項６】
請求項1に記載されたランプで、その内当該軸方向熱伝導器が熱伝導管を含むもの。
【請求項７】
請求項1に記載されたランプで、その内当該光源モジュールが熱伝導担体にマウントされた一つまたは複数の高出力発光ダイオード封止体を含むもの。
【請求項８】
請求項7に記載されたランプで、その内当該担体が当該軸方向熱伝導器の第一部分に接続されているもの。
【請求項９】
請求項8に記載されたランプで、その内当該担体および当該軸方向熱伝導器の第一部分が直接当該液体に接触しているもの。
【請求項１０】
請求項8に記載されたランプで、更に蓋により当該担体および当該高出力発光ダイオード封止体と当該液が隔離されているもの。
【請求項１１】
請求項7に記載されたランプで、その内当該担体が当該軸方向熱伝導器に隣接しているが、接続されていないもの。
【請求項１２】
請求項11に記載されたランプで、その内当該担体および当該軸方向熱伝導器の第一部分のいずれもが直接当該液体と接触していないもの。
【請求項１３】
請求項1に記載されたランプで、更に当該軸方向熱伝導器において熱対流を促進するスリーブを含むもの。
【請求項１４】
請求項1に記載されたランプで、その内当該光源モジュールが複数の高出力発光ダイオード封止体により当該光源を少なくとも2色持つものを含む。
【請求項１５】
請求項1に記載されたランプで、その内当該液体が複数のリン光または蛍光微粒を含むもの。
【請求項１６】
請求項1に記載されたランプで、その内当該液体に不凍剤を含むもの。
【請求項１７】
請求項1に記載されたランプで、更に当該容器中で当該光源を引き出す光学レンズを含むもの。
【請求項１８】
請求項1に記載されたランプで、その内当該光源モジュールが2つの向かい合った反射カップを含み、各反射カップが一つまたは複数の高出力発光ダイオード封止体を有し、管状物を含む当該容器が2つの反射カップの間の当該液体中に配置され、当該軸方向熱伝導器の第一部分が全てまたはどちらかの反射カップに隣接し、当該軸方向熱伝導器の第二部分が当該管状物の軸方向に沿って延伸されているもの。
【発明の詳細な説明】
【技術分野】
【０００１】
本発明は一種のランプに関するもので、特に照明目的に使用される高出力LEDランプに関するものである。
【背景技術】
【０００２】
LEDは耐用期限が長く、電力節約型で廃棄物による環境汚染を引き起こさないなど環境保護の観点から優れており、既に装飾灯（水中ライトなど）や指示灯（交通信号ランプなど）に広く汎用されている。しかし、単位出力で発生する発光輝度の不足、放熱効率の不良、照明角度の不足などの問題点が存在し、照明用途には適していない。白色LEDの改良、単位出力で発生する発光輝度の向上に伴い、輝度不足の問題は解決し、発光輝度が従来の白熱電球の発光輝度（30 lm/W）を上回る白色LEDが既に商品化され、蛍光灯の発光輝度（100 lm/W）も上回る白色LEDも近く生産される見通しである。そこで、放熱効率不良および照明角度不足が、現在、LEDを照明に使用する上での主な問題点である。
図1は、典型的な低出力LED100であり、エポキシ樹脂透明レンズ110が半導体結晶102を覆い、正極ピン106と負極ピン108は金線104を経由して半導体結晶102に接続される。低出力LED100は作動時に発生する熱量が少ないため、正極ピン106と負極ピン108を経て熱伝導がPCB（図中には示されていない）上の銅箔に到達する熱伝導拡散はLED100の放熱を促進するに十分であり、放熱の問題を考慮する必要はない。低出力LED100は主に装飾灯や指示灯に用いられ、電力損失は0.3〜0.4W未満である。図2は先行の低出力LEDランプ112で、標準電球ソケット120とケーシング122の接合を含み、PCB116はケーシング122中にあり、複数の低出力LED100がPCB116に固定されており、樹脂層114がケーシング122に充填されていることでPCB116および低出力LEDのピンを保護し、電源転換駆動モジュール118がPCB116と標準電球ソケット120の間に接続され、低出力LED100を駆動する。各低出力LED100が発生する熱はPCB116の銅箔を通じて伝導拡散されるため、別途、放熱器の必要がない。ケーシング122は金属またはプラスチック製で、ケーシング122が金属の場合、そのほとんどで構造強度が必要なことから、非熱伝導性または放熱が必要となる。
図3は先行の高出力LED124で、正極ピン138および負極ピン140は金線132および133を経由して半導体結晶130に接続される。封止樹脂128で放熱パッド136上に固定し、この構造をプラスチックケーシング134中に配置し、光学レンズ126を封止樹脂128に被せ、プラスチックケーシング134と嵌め込む。高出力LED124の電力損失は0.3Wを上回り、作動時に発生する熱量も高いことから、使用の際、過熱損壊を回避するための放熱を考慮しなければならない。図4は高出力LED124の放熱を促進する構造142で、放熱パッド136および放熱フィン146をメタルコアプリント基板（MCPCB）144に接着させたものを含む。高出力LED124が作動時に発生する熱は、放熱パッド136を経由してMCPCB144に伝導され、更に放熱フィン146に伝導され、空気の自然対流が熱を空気中に消散する。放熱パッド136は高熱伝導性を持ち、材料は金属、グラファイト、炭素繊維、セラミック、または複合材料などがある。図5は先行の前部放熱式高出力LEDランプ148で、高熱伝導性金属製の反射カップ150を含む。外部には環状型放熱フィン158を有し、ガラスまたはプラスチック製の光学レンズ152は反射カップ150の口に固定し、高出力LED124は反射カップの底部に設置、電源転換駆動モジュール154は高出力LED124と標準電球ソケット156の間に接続する。高出力LED124が発生する光は、反射カップ150により反射され、光学レンズ152を透過する。それにより発生する熱は反射カップ150を経由して放熱フィン158に伝導され、空気の自然対流で消散する。放熱フィン158は対流放熱の面積を増加させるが、熱伝導経路が長く、高出力LED124が発生する熱を迅速に放熱フィン158まで伝導することができず、高出力LED124の過熱を引き起こす。過熱問題を解決するため、図6に示す後部放熱式のランプ構造が開発された。後部放熱式高出力LEDランプ160は、高出力LED124を覆う光学レンズ162を含み、熱伝導管164が高出力LED124と電源転換駆動モジュール168の間に接続されている。熱伝導管164には放熱フィン166が多数装着されており、電源転換駆動モジュール168は電源入力端子170が1セット装備されている。高出力LED124が作動時に発生する熱は熱伝導管164に直接進入し、放熱フィン166を伝わって空気の自然対流で消散する。熱伝導経路が短いため、熱伝導管164は迅速に高出力LED124が発生する熱を放熱フィン166経由で発散するが、後部放熱式ランプ160は空気流通が良好な環境でなければ放熱フィン166を使用した自然対流放熱効果が得られない。後部放熱式高出力LEDランプ160を照明用に使用する際、埋込み式または吊り下げ式の照明器具など据付環境に良好な空気流通が備わっていない場合、放熱効果が大幅に低減する。図7は、後部放熱式高出力LED160を埋込み式照明器具で使用した見取り図である。高出力LEDランプ160をシェード172で覆い、シェード172は天井下地174と天井板176の間に設置する。高出力LED160がシェード172で覆い包まれているため、空気対流がシェード172により制限を受け、放熱効果に限界を生じている。図8は、後部放熱式高出力LEDランプ160を吊り下げ式の照明器具に使用した見取り図で、高出力LEDランプ160を天井下地174と天井板176の間に固定しているため、自然対流の放熱効果が天井下地174と天井板176の間の狭い空間に限られている。吊り下げ式照明器具のランプカバーの数が増加すると、累積された温度上昇が放熱効果を低下させる。その他、熱帯または亜熱帯地域では、天井板176と天井下地174の間の空気温度はしばしば40℃を超えるため、高出力LEDランプ160の放熱効果に限界を与えている。
熱伝達は伝導、対流および放射などの方式で行なわれるが、前掲の高出力LEDランプ148および160は高熱伝導材のみを利用して熱を伝導しており、発熱体が増加しても、空気接触の面積を増やし、室温下の自然対流で放熱している。放熱面積が同じだった場合、自然対流の放熱量は強制対流（ファンなど）の4分の1から10分の1である上、理想的な放熱機能を達成するには、自然対流の放熱フィン間隔は通常比較的大きく、自然対流放熱器の体積も強制対流放熱器に比べ、かなり巨大なものになる。ファンの耐用期限および信頼性を考慮した場合、強制対流放熱は高出力LEDの持つ長い耐用期限と信頼性から見ても実行可能性が無い。よって、LED出力の向上に伴い、照明要件に対応する上で、放熱問題は非常に解決困難な問題となっている。
【０００３】
高出力LEDが過熱損壊するのを防ぐには、高出力LEDの接合部作動温度は120℃未満でなければならず、高出力LEDの発光輝度（ルーメン値）および耐用期限が全て接合部作動温度に反比例することから、高出力LEDの放熱効率を向上させるには、接合部作動温度の低下が高出力LEDを照明目的に使用するための基礎となる。図9は、高出力LEDの発光輝度比率と接合部作動温度の関係図であり、これによると理想的状態において、発光輝度比率を最小80%に保つためには高出力LEDの接合部作動温度が95℃未満でなければならない。図10は、高出力LEDの耐用期限と接合部作動温度の関係図であり、これによると理想的状態において、耐用期限を最小50khrに保つためには高出力LEDの接合部作動温度が95℃未満でなければならない。
高出力LEDランプ148のもう一つの欠点は、光学的損失が大きい点である。これは、高出力LED124が発する光が反射カップ150内で何度も反射した後、一部が投射光にならず、光がレンズ152を通過した時にも再度一部が反射カップ150に反射されて戻ることにより、光の有効利用率が低下することによるものである。
米国特許公開番号第20040004435号は凹溝を覆う蓋を含むLED封止を提供している。凹溝に充填した冷却液がLEDチップを包み込み、冷却液が直接接触するLEDチップに放熱を提供する。理論上はこれで放熱効率が向上するように見えるのだが、この構造では冷却液は熱導体の役割しか果たさないため、実質的には放熱効率向上の有効性向上は難しい。固体に比較して液体の熱伝導は劣っていることから、冷却液を従来の樹脂に代替してLEDチップに直接接触させれば放熱効率が低下する。さらに、高出力への応用では、LEDチップの能動接合部はおよそ110℃程度で作動し、能動接合部周囲の冷却液が非常に高い温度まで過熱されるため、冷却液と蓋の間に温度勾配が発生する。また冷却液は良導体ではないため、熱をLEDチップから周囲の空気に迅速に伝えることができず、能動接合部付近の冷却液が非常に高温になり、その上、熱が能動接合部付近の冷却液中に留まってしまう。もう一つの欠点として、封止が小さいことから充填できる冷却液が非常に少なく、放熱に関してほとんど意味がないことがある。また、LEDチップ能動接合部の作動温度は約110℃であるため、能動接合部周囲の冷却液が気泡発生器と化してしまい、放熱効率を低下させる可能性もある。熱が冷却液のルートで効果的に消散されないため、LEDチップが発生する熱はほとんどが従来のLED同様、電極および金属線でピンに伝わる。そのほか、当該封止は冷却液が接触するベアチップがLEDチップを侵食し、損壊を引き起こす可能性ももう一つの欠点となりうる。
図11は、従来の白熱電球の配光曲線図である。この図によると、発光輝度比率60%以上の照明角度は280°である。図12は典型的な高出力LEDの配光曲線図である。この図では、発光輝度比率60%以上の照明角度は110°であることが分かる。即ち、高出力LEDの照明目的使用上のもう一つの問題点は照明角度不足であり、環境照明に必要な広範で均質な光線という条件を満たすことができない。また、光学設計上、照明角度不足という問題を解決しなければ、高出力LEDを照明に使用する新たな機会を作り出すこともできない。
よって、放熱改善、照明角度増加、照明輝度向上を実現した高出力LEDランプが望まれている。
【発明の開示】
【発明が解決しようとする課題】
【０００４】
本発明の目的は、照明に使用する高出力LEDランプを提供することにある。
本発明の目的は、低コストの高出力LEDランプを提供することにある。
本発明の目的は、放熱を改善した高出力LEDランプを提供することにある。
本発明の目的は、照明角度を増加させた高出力LEDランプを提供することにある。
本発明の目的は、照明輝度を向上させた高出力LEDランプを提供することにある。
本発明に基づき、液体充填用空間を持つ容器を含む一種の高出力LEDランプで、高出力LED光源が当該液体を通過する光源モジュールを提供する。軸方向熱伝導器は第一部分が当該光源モジュールに隣接し、第二部分が当該液体中の当該空間の軸方向に沿って当該光源モジュールまで達している。当該光源モジュールの温度が上昇すると、当該軸方向熱伝導器が熱を当該光源モジュールから当該液体を通して当該容器へ伝達するため、光源モジュールは迅速で良好な放熱が可能になる。
当該液体は熱発散および照明角度拡大、輝度向上を促進する。良好な実施例では、当該液体が発生させる熱対流がさらに放熱を向上し、コストも先行の金属放熱フィンの5分の1から10分の1である。光が当該液体に進入すると、光の拡散で照明角度が拡大する。光は当該液体および容器の間で全反射し、良好なスポットライト効果および照明輝度の増加を可能にする。
【発明を実施するための最良の形態】
【０００５】
図13は本発明に基づく高出力LEDランプ200、図14はその分解図である。高出力LEDランプ200には、容器202の液体充填用空間203内に、透明または半透明の液体204を充填する。光源モジュールは、電力損失0.3W超の高出力LED封止体206などを含み、内部にMCPCB210上の電源コード222を配置している。封止樹脂208は高出力LED封止体206およびMCPCB210を担体212上に固定し、かつ水密作用を発生する。軸方向フィン付属品211は高出力LED封止体206の前方に配置し、かつ担体212と熱接続させる。軸方向熱伝導管213は一端を位置決めリング214および密閉蓋216に挿入し、もう一端を担体212に接続する。密閉材料218は、密閉蓋216上の密閉容器202の管開口部に配置する。電源転換駆動モジュール220は光源モジュールおよび標準電球台座224の間に配置し、電源コード226から引き入れる電源を固定の直流電流に転換し、電源コード222を経由して高出力LED封止体206を駆動する。密閉蓋216の断面図は図15に示すとおりである。楔形になっている縁232および溝234により密閉材料218が更に良好な密閉効果を達成する。図13に戻って説明を続ける。担体212、軸方向熱伝導管213および軸方向フィン付属品211は全て熱の良導体で製造され、軸方向熱伝導管213および軸方向フィン付属品211は液体充填用空間203の軸方向に沿って延伸される。良好な実施例では、軸長が液体充填用空間203の軸長の4分の1から1倍の間にある。軸方向熱伝導管213は担体212後方の液体内で高出力LED封止体206まで達し、軸方向フィン付属品211は担体212前方の液体内で、高出力LED封止体206まで到達する。熱は軸方向熱伝導管213および軸方向フィン付属品211を経由して液体204中の比較的冷たい部分に伝導される。高出力LED封止体206が発生する熱は、MCPCB210および担体212を経由して、軸方向熱伝導管213および軸方向フィン付属品211へ伝導され、更に液体204へ伝達される。図13の矢印が示すとおり、液体204は熱伝導および熱対流を経て熱を容器202へ消散し、さらに熱を環境空気中に消散する。容器202と環境空気の間の接触面積が大きいため、自然空気対流が放熱を促進し、高出力LED封止体206の接合部作動温度を低下させる。たとえ液体204の熱伝導が金属またはその他固体材料を下回ったとしても、軸方向熱伝導管213および軸方向フィン付属品211が十分な熱伝導性を有し、迅速に担体212から液体204に伝導することから、液体204への熱移転は強化される。軸方向熱伝導管213および軸方向フィン付属品211は熱を迅速に液体204の比較的冷たい部分に伝えることで、液体204中の対流を促進できる。高出力LED封止体206が点灯したとき、液体204中の高出力LED封止体206は熱源となり、容器202はボイラーに類似した状態になる。この状況下で、高出力LED封止体206が付近の液体を過熱し、熱くなった液体が上昇流動すると、液体204中に自然対流が発生する。
【０００６】
容器202は、高出力LED封止体206の電力損失に基づき、寸法を選択できる。容器202の平滑な外部表面は空気流動に有効で、迅速に放熱の効果を達成する。容器202は、反射性側壁228および透明または半透明の前壁203を有し、反射性側壁228は金属めっきまたは光学膜の生成が可能である。容器202はガラス、プラスチック、シリコンゴム、或いはその他透明または半透明の材料により製造する。担体212、軸方向熱伝導管213および軸方向フィン付属品211は、金属、グラファイト、炭素繊維、セラミックまたは複合材料、或いはその他高熱伝導材料で製造する。液体204は、水、オリーブ油、パラフィン油、および低粘度の潤滑油など無色、無毒、低粘度の透明または半透明のものが最適である。環境温度−30℃から35℃の寒帯地域では、液体204は水を基本とし、メタノール、エタノール、グリコールまたはその他不凍剤を添加する。環境温度が35℃から60℃の熱帯地域では、液体204は油を基本とする。
一部の実施例では、図16に示すとおり、液体204に微量の染料を添加し、光236が液体204を透過する際、液体中の浮遊染料微粒238が光236の反射および屈折を発生する結果、側方向照明を向上し、照明角度を拡大し、ヒトの眼に入射する光を軟化させる。液体204中に添加する染料は、光の色により異なる色を選定する。例えば、白色光および多色光に応用する場合は白色染料を選定し、赤、青、緑、橙、黄などその他の光の色に応用する場合は高出力LED封止体206が発生する光と同じ色の染料を選定すると、表示する色彩を明るく豊富なものにできる。高出力LED封止体206が発生する光が紫色の光である場合、液体204に蛍光パウダーまたは蛍光液を添加し、蛍光物が紫外光を吸収した後、発する可視光の特性を利用し、液体204中に異なる蛍光パウダーまたは蛍光液を添加することで、ランプ200が多色の蛍光灯として使用できるようにすることもできる。必要に応じ、液体204中に界面活性剤を添加し、染料または蛍光パウダーを液体204中に均等に分布させることができる。
図13が示すランプ200は、スポットライト（プロジェクターランプ）または環境照明とすることもできる。ランプ200をスポットライトとする場合、液体204は透明とし、染料は添加しない。容器202は反射性側壁228を持つものとし、高出力LED封止体206の前方に光学レンズを設置し、光の投射を導く。ランプ200を環境照明とする場合、透明の前壁230の投射角度は110°超が望ましく、容器202は透明側壁228および透明前壁230を有するものとする。液体204中には微量の染料を添加する。
図17は、環境照明の実施例であり、従来の電球を代替しうるものである。ランプ240は、容器202を含み、その液体充填用空間203に透明の液体204を充填する。光源モジュールは、高熱伝導担体244の円錐形の表面上に固定した複数の高出力LED封止体206を含む。位置決めリング214が固定する軸方向熱伝導管242は担体244と機械接続する。密閉蓋216は容器202の管開口部を密閉する。電源転換駆動モジュール220は、高出力LED封止体206と標準電球台座224の間に接続し、発生した直流電流を軸方向熱伝導管242中の電源コードを経由して、高出力LED封止体206を駆動する。同軸熱伝導棒245は担体244に熱接続し、且つ液体充填用空間203の軸方向に沿って担体244まで到達し、熱を液体204中で消散する。良好な実施例では、同軸熱伝導棒245の軸長が液体充填用空間203の軸長の4分の1から2倍の間である。液体204中で高出力LED封止体206まで到達しているため、熱を迅速に担体244から液体204中へ伝導する。良好な実施例では、軸方向熱伝導管242および軸方向熱伝導棒245を金属、グラファイト、炭素繊維、セラミック、または複合材料性の熱伝導管とし、軸方向熱伝導棒245は柱状またはその他のいかなる形状でもよい。本実施例では、容器202を透明な球状とし、液体204は微量の染料を含む。別の実施例では、高出力LED封止体206は異なる色を含み、単回で全部または一部の高出力LED封止体206を点灯できるものとした。
図18は、環境照明の別の実施例で、従来の蛍光灯を代替しうるものである。ランプ246には、管状物250を含む容器、管状物250の両端を覆う向かい合わせになった反射カップ252および253を含む光源モジュールがあり、高出力LED封止体206および207はそれぞれ反射カップ252および253内に配置する。容器の液体充填用空間203内に微量の染料を有する透明の液体204を充填する。電源供給装置248は高出力LED封止体206および207に電気接続する。反射カップ252および253は集光効果を有し、管状物250は透明で、高出力LED封止体206および207の光を透過する。高出力LED封止体206および207は、管状物250の両端にあるため、一部の光は管状物250に沿って全反射を発生し、且つ液体204中の浮遊染料微粒により反射および屈折を生じることで、均等な照明効果を達成する。本実施例では、反射カップ252および253は熱の良導体で製造し、高出力LED封止体206および207の放熱を高める。それだけでなく、高出力LED封止体206および207が発生する熱は主に軸方向熱伝導棒251を経由して液体204に伝達され、液体204中で軸方向熱伝導棒251の台座が高出力LED封止体206および207の担体に接続し、且つ高出力LED封止体206および207まで達していることから、放熱効果を更に高めている。高出力LED封止体206および207は同時に点灯することも、1つだけを点灯することも可能である。
図19は、超高出力環境照明の実施例である。ランプ254中にある光源モジュールは担体264上に固定した複数の高出力LED封止体206を含む。放熱器256は担体264に貼り付いており、フィン262も有している。複数の光学レンズ258はそれぞれ高出力LED封止体206前方に配置し、必要な照明角度を実現する。放熱器256と隣接する容器260は液体充填用空間203を有し、透明な液体204を充填する。特別な点としては、複数の軸方向熱伝導棒266が担体264または放熱器256と接続し、高出力LED封止体206の放熱を強化している。本実施例では、液体充填用空間203内の液体204には染料を添加せずに照明角度を広げている。
図20は、超高出力環境照明の別の実施例である。電球と互換性のあるランプ268中の光源モジュールは複数の高出力LED封止体206を固定したリング状の表面を持つ担体270を含む。容器274に液体276を充填し、且つ担体270に隣接させる。上掲の実施例で説明した構造に加え、軸方向熱伝導棒272の台座は担体270付近とするが、直接担体270には接続させない。先端部は液体276中で高出力LED封止体206まで到達させる。高出力LED封止体206の作動中は、高出力LED封止体206および担体270付近の液体276が高温になり、高温になった液体276は軸方向熱伝導管272を加熱するため、軸方向熱伝導管272が熱を光源モジュールから液体276を経由して容器274に伝達する。
図21は、放熱を更に向上させるための見取り図である。スリーブ278を図17のランプ240の軸方向熱伝導棒245に加え、図21の矢印が示すとおり、軸方向熱伝導棒245が熱を担体244から周囲の液体204に伝達し、スリーブ278内の比較的高温の液体が上方へ流動することで、液体204で比較的強い熱対流が発生し、放熱が向上する。
図22は更に別の電球と互換性のあるランプ280であり、光源モジュールは複数の高出力LED封止体206を固定したディスク状の表面を持つ担体282を含む。蓋284は高出力LED封止体206を覆うことで、高出力LED封止体206および担体282を直接液体276に接触させず、容器274が担体270に隣接し、液体276を充填した空間を有している。軸方向熱伝導棒286は担体270と熱接続し、熱を担体270から液体276を経由して容器274に伝達する。軸方向熱伝導棒286は液体276中で高出力LED封止体206および担体286まで達している。
本発明では、液体中に浸された軸方向熱伝導体が主に熱を作動中のLED封止体から液体を経由して均等に容器へと消散する。ランプ中の軸方向熱伝導体は、管状、棒状、柱状、フィン状の形態の熱伝導管とすることができ、柔軟でも堅牢でもよい。軸方向熱伝導体は担体と直接接続しても、または接続しなくてもよい。高出力LED封止体および担体が液体と直接接触しない場合、担体からの熱を良好に吸収するためには軸方向熱伝導体は担体と直接熱接続することが望ましい。高出力LED封止体および／または担体が液体と直接接触している場合、軸方向熱伝導体は第一部分だけを担体に隣接する液体中に浸し、周囲の液体を加熱することで、担体および高出力LED封止体からの熱を吸収する。第二部分は液体中で担体および高出力LED封止体まで到達させる。
本発明を採用すれば、高出力LEDが異なる照明目的の応用または要件に適応するため、液体の材料も簡単に変更でき、容器のサイズや形状など幾何学的構造も変更でき、迅速な放熱と照明光学の最適化が実現できる。
【図面の簡単な説明】
【０００７】
【図１】先行の低出力LEDである。
【図２】先行の低出力LEDランプである。
【図３】先行の高出力LEDである。
【図４】先行の高出力LEDの放熱補助構造である。
【図５】先行の前部放熱式高出力LEDランプである。
【図６】先行の後部放熱式高出力LEDランプである。
【図７】埋め込み式照明器具に使用した先行の後部放熱式高出力LEDランプの見取り図である。
【図８】吊り下げ式照明器具に使用した先行の後部放熱式高出力LEDランプの見取り図である。
【図９】高出力LED発光輝度比率と接合部作動温度の関係図である。
【図１０】高出力LED耐用期限と接合部作動温度の関係図である。
【図１１】従来の白熱電球の配光曲線図である。
【図１２】典型的な高出力LEDの配光曲線図である。
【図１３】本発明に基づいた高出力LEDランプである。
【図１４】図13の高出力LEDランプの分解図である。
【図１５】密閉蓋の断面図である。
【図１６】図13の高出力LEDランプ浮遊染料微粒の側方向照明補助の見取り図である。
【図１７】環境照明に使用された実施例である。
【図１８】環境照明に使用された別の実施例である。
【図１９】超高出力環境照明に使用された実施例である。
【図２０】超高出力環境照明に使用された別の実施例である。
【図２１】更に放熱を向上する構造である。
【図２２】超高出力環境照明に使用された別の実施例である。
【図１】
2008027910.tif 000003
【図２】
2008027910.tif 000004
【図３】
2008027910.tif 000005
【図４】
2008027910.tif 000006
【図５】
2008027910.tif 000007
【図６】
2008027910.tif 000008
【図７】
2008027910.tif 000009
【図８】
2008027910.tif 000010
【図９】
2008027910.tif 000011
【図１０】
2008027910.tif 000012
【図１１】
2008027910.tif 000013
【図１２】
2008027910.tif 000014
【図１３】
2008027910.tif 000015
【図１４】
2008027910.tif 000016
【図１５】
2008027910.tif 000017
【図１６】
2008027910.tif 000018
【図１７】
2008027910.tif 000019
【図１８】
2008027910.tif 000020
【図１９】
2008027910.tif 000021
【図２０】
2008027910.tif 000022
【図２１】
2008027910.tif 000023
【図２２】
2008027910.tif 000024